(57)【要約】体内植込可能な電気コネクタ１０は、孔部を有するハウジング１４と、ラジアル型ガータースプリング１６とを備えている。ハウジング１４の孔部の内周面に、Ｖ字底溝１５、３８が形成されており、ガータースプリング１６は、この溝１５、３８の中に配設されている。更に、ピン１２を備えており、このピン１２は、ハウジングの孔部に挿入可能な寸法に形成されている。ハウジング１４を形成する材料、ガータースプリング１６を形成する材料、及びピン１２を形成する材料を、体内植込に適した材料の組合せとして、それらハウジング１４、ガータースプリング１６、及びピン１２の間の電気抵抗を調節するようにした。
2005518648.tif 000002
【特許請求の範囲】
【請求項１】
体内植込可能な電気コネクタにおいて、
孔部を有するハウジングと、ラジアル型ガータースプリングと、ピンとを備え、
前記ハウジングの前記孔部の内周面にＶ字底溝が形成されており、
前記ガータースプリングは前記Ｖ字底溝の中に配設されており、
前記ピンは前記ハウジングの前記孔部に挿入可能な寸法に形成されており、
前記ハウジングを形成する材料、前記ガータースプリングを形成する材料、及び前記ピンを形成する材料を、体内植込に適した材料の組合せとして、該ハウジング、該ガータースプリング、及び該ピンの間の電気抵抗を調節するようにしたことを特徴とする電気コネクタ。
【請求項２】
前記ピンに外周溝が形成されており、該外周溝に前記ガータースプリングが嵌合することによって、該ピンが前記ハウジングの前記孔部に係脱可能に係合するようにしてある請求項１記載の電気コネクタ。
【請求項３】
前記Ｖ字底溝のＶ字の開き角が約１３５°である請求項１記載の電気コネクタ。
【請求項４】
前記ピンに、中央平底部とその両側の傾斜側面部とで画成された溝が形成されている請求項１記載の電気コネクタ。
【請求項５】
前記中央平底部に対する前記傾斜側面部の傾斜角が約４５°である請求項１記載の電気コネクタ。
【請求項６】
前記ハウジングを形成する材料、前記ガータースプリングを形成する材料、及び前記ピンを形成する材料のいずれかがプラチナ・イリジウム合金である請求項１乃至５の何れか１項記載の電気コネクタ。
【請求項７】
前記ハウジングを形成する材料及び前記ピンを形成する材料が「ＭＰ３５Ｎ」合金である請求項６記載の電気コネクタ。
【請求項８】
前記ハウジングを形成する材料及び前記ピンを形成する材料が第５級チタン材料である請求項６記載の電気コネクタ。
【請求項９】
体内植込可能な電気コネクタにおいて、
孔部を有するハウジングと、アキシャル型ガータースプリングと、ピンとを備え、
前記ハウジングの前記孔部の内周面に平底溝が形成されており、
前記ガータースプリングは前記平底溝の中に配設されており、
前記ピンは前記ハウジングの前記孔部に挿入可能な寸法に形成されており、
前記ハウジングを形成する材料、前記ガータースプリングを形成する材料、及び前記ピンを形成する材料を、体内植込に適した材料の組合せとして、該ハウジング、該ガータースプリング、及び該ピンの間の電気抵抗を調節するようにしたことを特徴とする電気コネクタ。
【請求項１０】
前記ピンに、中央平底部とその両側の傾斜側面部とで画成された溝が形成されている請求項９記載の電気コネクタ。
【請求項１１】
前記中央平底部に対する前記傾斜側面部の傾斜角が約４５°である請求項９記載の電気コネクタ。
【請求項１２】
前記ハウジングを形成する材料、前記ガータースプリングを形成する材料、及び前記ピンを形成する材料のいずれかがプラチナ・イリジウム合金である請求項９又は１０記載の電気コネクタ。
【請求項１３】
前記ハウジングを形成する材料及び前記ピンを形成する材料が「ＭＰ３５Ｎ」合金である請求項１２記載の電気コネクタ。
【請求項１４】
前記ハウジングを形成する材料及び前記ピンを形成する材料が第５級チタン材料である請求項１２記載の電気コネクタ。
【請求項１５】
体内植込可能な電気コネクタにおいて、
孔部を有するハウジングと、ラジアル型ガータースプリングと、ピンとを備え、
前記ハウジングの前記孔部の内周面にＶ字底溝が形成されており、
前記ガータースプリングは前記Ｖ字底溝の中に配設されており、
前記ピンは前記ハウジングの前記孔部に挿入可能な寸法に形成されており、
前記ピンに外周溝が形成されており、該外周溝に前記ガータースプリングが嵌合することによって、該ピンが前記ハウジングの前記孔部に係脱可能に係合して、その係合により接続解除力及び接続力が得られるようにしてあり、
前記ハウジングを形成する材料、前記ガータースプリングを形成する材料、及び前記ピンを形成する材料を、体内植込に適した材料の組合せとして、該ハウジング、該ガータースプリング、及び該ピンの間の電気抵抗を調節するようにしたことを特徴とする電気コネクタ。
【請求項１６】
接続力の大きさに対する接続解除力の大きさの比が約１：１から約１０：１の間にある請求項１５記載の電気コネクタ。
【請求項１７】
前記Ｖ字底溝のＶ字の開き角が約１３５°である請求項１６記載の電気コネクタ。
【請求項１８】
前記ハウジングを形成する材料、前記ガータースプリングを形成する材料、及び前記ピンを形成する材料のいずれかがプラチナ・イリジウム合金である請求項１５乃至１７の何れか１項記載の電気コネクタ。
【請求項１９】
前記ハウジングを形成する材料及び前記ピンを形成する材料が「ＭＰ３５Ｎ」合金である請求項１８記載の電気コネクタ。
【請求項２０】
前記ハウジングを形成する材料及び前記ピンを形成する材料が第５級チタン材料である請求項１８記載の電気コネクタ。
【発明の詳細な説明】
【技術分野】
【０００１】
本発明は、体内植込可能な電気コネクタ、特に、接続力及び接続解除力の大きさを適宜調節することのできる医用コネクタに関する。斯かるコネクタは、ペースメーカ、除細動器、神経刺激器などをはじめとする、様々な医用デバイスに使用されるものである。体内植込可能な電気コネクタが本質的にその他の大部分の電気コネクタと異なるのは、その使用環境が特殊であること、それに、故障したならば重大な結果を招きかねないことによるものである。斯かる医用コネクタは、体内植込に適した材料で製作しなければならないばかりでなく、医用デバイスを高い信頼性をもって機能させることができるように、十分に大きくしかも安定した導電性能を維持し得るものでなければならない。
【背景技術】
【０００２】
従来の体内植込可能な電気コネクタは、リード線ないしピンと、ハウジングとで構成され、止めねじを用いて、リード線をハウジングに着脱可能に接続するようにしていた。しかしながら、その止めねじは非常に小さく、見失いやすいものであった。更に、止めねじを用いているため、その締付トルクの過不足によって障害を発生し易く、また、その電気コネクタの接続に際して工具を必要としていた。
【発明の開示】
【発明が解決しようとする課題】
【０００３】
本発明の目的は、接続電気抵抗が小さく、静的荷重と動的荷重とのいずれが作用している状態であっても接続電気抵抗の変動が小さく、更に、接続に際して工具を必要とすることのない、体内植込可能な電気コネクタを提供することにある。
【課題を解決するための手段】
【０００４】
本発明に係る体内植込可能な電気コネクタは、孔部を有するハウジングと、ガータースプリングとを備えている。ハウジングの孔部の内周面に溝が形成されており、ガータースプリングはその溝の中に配設されている。
【０００５】
更に、ピンを備えており、このピンはハウジングの孔部に挿入可能な寸法に形成されている。このピンに外周溝を形成して、その外周溝にガータースプリングが嵌合するようにし、それによって、このピンをハウジングの孔部に係脱可能に係合させるようにしてもよい。
【０００６】
ハウジング、ガータースプリング、及びピンを備えて成るこの電気コネクタの接続電気抵抗は、ハウジング溝をＶ字底溝とすると共に、ハウジングを形成する材料、ガータースプリングを形成する材料、及びピンを形成する材料を、体内植込に適した材料の組合せとして電気抵抗を調節するようにすることで、小さな接続電気抵抗となる。尚、ガータースプリングを形成する材料は、プラチナ・イリジウム合金とすることが好ましい。
【０００７】
本発明の１つの実施の形態では、ピンに外周溝が形成されておらず、ハウジングの溝はＶ字底溝とされている。更に具体的に述べると、そのＶ字底溝のＶ字の開き角は、例えば約１３５°である。一方、ピンに溝を形成するようにした実施の形態では、そのピンの溝の断面形状を、例えば中央平底部とその両側の傾斜側面部とで画成された形状とする。後に詳細に説明するように、ハウジングの溝をＶ字底溝として、ラジアル型ガータースプリングを使用した場合には、ハウジングの溝を平底溝として、ラジアル型ガータースプリングを使用した場合と比べて、コネクタの導電性能が向上すると共に、導電性能の安定性も高まる。
【０００８】
更に具体的に述べると、中央平底部に対する傾斜側面部の傾斜角は、例えば４５°である。
本発明のいずれの実施の形態においても、ハウジングを形成する材料、ピンを形成する材料、及びガータースプリングを形成する材料のいずれかが、プラチナ・イリジウム合金であるようにすることが好ましい。ハウジングやピンを、プラチナ・イリジウム合金以外の材料で形成する場合には、それらを形成する材料を、例えば「ＭＰ３５Ｎ」合金（登録商標）、第５級チタン材料、ないしはステンレス鋼とするとよい。
【０００９】
本発明のその他の実施の形態に係る電気コネクタとしては、ハウジングの溝をＶ字底溝とし、ラジアル型ガータースプリングを使用した電気コネクタや、ハウジングの溝を平底溝とし、アキシャル型ガータースプリングを使用した電気コネクタなどがある。アキシャル型ガータースプリングを使用し、ハウジングの溝を平底溝とした場合には、ガータースプリングとハウジングとの間の導電性能が高まるが、これは、アキシャル型ガータースプリングが動くことによって表面が擦られて酸化膜が除去されるために、電気抵抗が小さくなることによるものである。
【発明を実施するための最良の形態】
【００１０】
添付図面と共に以下の説明を参照することによって、本発明の利点及び特徴を更に明瞭に理解することができる。
本明細書において説明する電気コネクタは、大きく２つの種類に分けられる。それらのうちの１つは、図１ａ〜図１ｆに示したような、係合方式のコネクタであり、これらの図に示したコネクタ１０は、ガータースプリング１６を介して、ピン１２がハウジング１４に係合して保持されるようにしたものである。
【００１１】
もう１つは、図２ａ〜図２ｄ、図３ａ〜図３ｄ、ないしは図４ａ〜図４ｄに示したようなコネクタであり、これらの図に示したコネクタ３０、５０、７０は、傾斜コイルばねから成るガータースプリング３６、５６、７６が圧縮されることにより発生する摩擦力によって、ピン３２、５２、７２がハウジング３４、５４、７４の中に保持されるようにしたものである。
【００１２】
ガータースプリング１６、３６、５６、７６としては、ラジアル型ガータースプリング（径方向に扁平となるようにコイルばねの各巻きを傾斜させた傾斜コイルばねから成るガータースプリング）１６、３６、５６を使用して、ハウジングの溝をＶ字底溝１５、３８とするようにしてもよく、或いは、アキシャル型ガータースプリング（軸方向に扁平となるようにコイルばねの各巻きを傾斜させた傾斜コイルばねから成るガータースプリング）７６を使用して、ハウジングの溝を平底溝７８とするようにしてもよい。ガータースプリングの巻き密度が高ければ、即ち、単位周方向距離あたりの巻数が多ければ、ハウジングの溝を平底溝７８とし、その中にアキシャル型ガータースプリングを配設してピンと当接させるようにするとよく、そうすれば、そのアキシャル型ガータースプリング７６が動くことによって表面が擦られて、酸化膜が除去されるようになる。
【００１３】
ガータースプリング１６、３６、５６、７６をハウジングの溝の中に配設するときの向きは、時計回りと反時計回りとのいずれとしてもよく、また、そのガータースプリングのバックアングルが内周側と外周側とのいずれにくるように配設してもよい。本発明に用いるのに適したガータースプリングとしては、米国特許第5,108,076号公報の図１〜図６に示されているもの、米国特許第4,893,795号公報の図４、図５ａ〜図５ｅ、及び図６ａ〜図６ｂに示されているもの、それに、米国特許第5,139,243号公報の図１ａ、図１ｂ、図２ａ、及び図２ｂに示されているものなどがあり、これら米国特許はいずれもBalsellsに対して付与された特許である。尚、これら米国特許公報の開示内容は、本発明に用いるのに適したガータースプリングの構造を教示したものとして、本願の開示に包含されたものとする。
【００１４】
ガータースプリング１６、３６、５６、７７は、その外径寸法をハウジング溝の溝底における径寸法より僅かに大きくしてある。そのため、ガータースプリング１６、３６、５６、７６をハウジング溝１８、３８、５８、７８の中に配設したならば、そのガータースプリングの外周部とハウジング溝１８、３８、５８、７８の溝底部との間に、一種の締代が発生する。ガータースプリング１６、３６、５６に関しては、その締代のために径方向の圧縮力が発生し、その圧縮力によって、ガータースプリング１６、３６、５６がハウジング１４、３４、５４の中に保持される。尚、ガータースプリング１６、３６、５６、７６は、時計回りに配設してもよく、反時計回りに配設してもよい。
【００１５】
ガータースプリング７６に関しては、その締代のために軸方向の圧縮力が発生し、その圧縮力によって、ガータースプリング７６がハウジング７４の中に保持される。従って、以上のようにすることで、ガータースプリング１６、３６、５６、７６が、その配設位置にしっかりと保持されるようにしている。また、以上のようにすることで、更に、ガータースプリング１６、３６、５６、７６の外周部とハウジング１４、３４、５４、７４との間に、確実な導電性能が確保されるようにしている。
【００１６】
既述のごとく、電気コネクタにおける接続電気抵抗の大小は非常に重要な要因であり、なぜならば、接続電気抵抗が大きくなるほど、バッテリ（不図示）から供給される電気エネルギのうち、コネクタ１０、３０、５０、７０において熱の形で放散されてしまうエネルギが増大し、従ってバッテリの寿命が短くなるからである。
【００１７】
ハウジングの溝をＶ字底溝１８、３８として、ラジアル型ガータースプリングを使用した場合には、ハウジングの溝を平底溝として、ラジアル型ガータースプリングを使用した場合と比べて、接続電気抵抗が格段に低下することが判明している。また更に、ハウジングの溝をＶ字底溝１８、３８とした場合には、ガータースプリング１６、３６を保持するための拘束力が高まるために、接続電気抵抗が安定し、また、ガータースプリングのガタ付きが発生するおそれも低下する。
【００１８】
ガータースプリング１６、３６の各巻きと、ハウジング１４、３４との間の接触面積の大きさも、接続電気抵抗の大きさに影響を及ぼす一因である。即ち、ガータースプリング１６、３６とハウジング１４、３４との間の接触面積が大きくなるほど、接続電気抵抗は小さくなる。
【００１９】
電気コネクタにとっては、その使用中に接続電気抵抗が変動せず、一定した導電性能が維持されるということが、非常に重要である。ガータースプリング１４、３４と、ハウジング溝１８、３８とを用いた構成は、発生する変動の大きさを非常に小さく抑え得るものである。
【００２０】
コネクタ１０は、係合方式のコネクタである。即ち、ピン溝２０とハウジング溝１８との位置が揃った状態で、それら両方の溝にガータースプリング１６が嵌合することによって、係合作用と導電性能とが得られるようにしたものである。更に、ハウジング１４に形成する溝をＶ字底溝１８としたことにより、その係合状態が良好に維持され、また、接続電気抵抗が安定するようになっている。
【００２１】
図１ａ〜図１ｆに示した実施の形態は、ガータースプリング１６がハウジング１４の中に保持される構成としたものであるが、ガータースプリング１６がピン１２の周囲に保持される構成とすることも可能である。
【００２２】
既述のごとく、ハウジング溝をＶ字底溝１８とすることにより、ハウジング溝の中でのガータースプリングの位置と、ガータースプリングをハウジング溝の中に保持するための拘束力の大きさとに影響を及ぼすことができ、また、接続電気抵抗の変動量を小さく抑えることができる。ハウジング１４に形成するＶ字底溝１８におけるそのＶ字の開き角は、１８０°以下の様々な角度にすることができ、また特に、図１ａ〜図１ｆや、図２ａ〜図２ｄに示した実施の形態のように約１３５°とするのもよく、或いはまた、約９０°とするのもよい。また、溝底の傾斜角を４５°にすると（即ち、Ｖ字の開き角を９０°にすると）、ガータースプリングの各巻きに対して適切な拘束力を作用させて、溝の中に良好に保持することができ、また、接続電気抵抗を小さく抑え得ることが判明している。
【００２３】
ガータースプリングの各巻きの変形量が大きくなれば、発生する弾発力も大きくなる。そして、その弾発力が大きくなれば、接続電気抵抗が小さくなり、ガータースプリング１６、３６、５６、７６に対する拘束力が大きくなる。そして、その拘束力が大きくなる結果として、接続電気抵抗の変動量が小さくなり、また特に、動的荷重が作用している状態での接続電気抵抗の変動量がに小さくなる。発生する弾発力の大きさは、様々な方法で変化させることができ、例えば、ガータースプリングの各巻きのバックアングル及びフロントアングルの大きさ、ガータースプリングの線径、それに、ガータースプリングの各巻きの高さ方向の差し渡し寸法と線径との比などの、様々なパラメータを変えるという方法があり、更にその他の方法もある。尚、以上に列挙したパラメータについては、先に言及して、その開示内容を本願の開示に組込んだ米国特許公報に論じられている。
【００２４】
接続解除力の大きさと、接続力の大きさとの比は、約１：１から約１０：１までの間で調節するようにするとよい。接続力の大きさに対する接続解除力の比を大きくすることによって、接続状態が保持し易くなり、従って導電性能が維持し易くなる。接続解除力の大きさと接続力の大きさとの比を定める条件には、以下のようなものがある。
【００２５】
１．方向。ピンをハウジングに挿入しはじめるときに、そのピンがガータースプリングのフロントアングルの部分に接触する方向によって、比が大きくなる。これは、挿入時または接続解除時における各巻きの楕円形断面形状の長軸に沿った各巻き上の黒い点と、挿入方向とによって表される。
【００２６】
２．各巻きの楕円形断面形状の長軸に沿った各巻きの中心線が、ピンないしシャフトの荷重作用点に近いほど、接続力の大きさに対する接続解除力の大きさの比は大きくなる。
３．以下のａ〜Ｊに示すパラメータも、接続解除力の大きさと接続力の大きさとの差に影響を及ぼすものである。
【００２７】
ａ．ガータースプリングの線径に対する各巻きの楕円形断面形状の高さ方向の差し渡し寸法の比。
ｂ．ガータースプリングの各巻きの楕円形断面形状における高さ方向の差し渡し寸法に対する幅方向の差し渡し寸法の比。
【００２８】
ｃ．ガータースプリングの各巻きのバックアングル及びフロントアングルの大きさ。
ｄ．ガータースプリングの各巻きの楕円形断面形状における高さ方向の差し渡し寸法。
ｅ．ガータースプリングの各巻きの楕円形断面形状における幅方向の差し渡し寸法。
【００２９】
ｆ．ガータースプリングの線径。
ｇ．ガータースプリングを形成する材料の、例えば伸び率や弾性率などの材料特性。
ｈ．ガータースプリングの各巻きの楕円形断面形状における長軸に沿った各巻きの中心線の、ピンないしシャフトの荷重作用点に対する相対的な位置。
【００３０】
ｉ．ハウジングの形状。
ｊ．ガータースプリングの配設の向き。
ハウジング溝を平底溝として、アキシャル型ガータースプリングを使用した場合と、ハウジング溝を平底溝として、ラジアル型ガータースプリングを使用した場合とを比較すると、次の通りである。それら２つの間には、非常に重要な相違がある。アキシャル型ガータースプリングは、ハウジング溝の中に装填する際に、その各巻きの楕円形断面の短軸方向に圧縮され、それによって、ハウジング溝の内壁面に大きな力が作用し、そして、各巻きの楕円形断面形状における高さ方向の差し渡し寸法にとって、ハウジング溝の幅寸法が窮屈なものであるほど、発生する径方向の力は大きくなる。こうして発生する径方向の力は、ピンに当接したガータースプリングの弾発力に抗して、そのピンをハウジングの中に押し込むために必要とされる径方向の挿入力に影響を及ぼすことになる。また、こうして発生する径方向の力が追加されることによって、導電性能即ち接続電気抵抗にその影響が及ぶため、接続電気抵抗は非線形となる。
【００３１】
先に言及した数件の米国特許公報においては、ハウジング溝の内壁面とガータースプリングの各巻きとの間の接触面積を最大にするような、ピンの先端テーパ角と、ハウジングの当接面の傾斜角と、ガータースプリングの各巻きの断面形状（円形または楕円形）との関係についても論じられている。
【００３２】
図１ａ〜図１ｆ、図２ａ〜図２ｄ、図３ａ〜図３ｄ、それに、図４ａ〜図４ｄは、ピン１２、３２、５２、７２をハウジング１４、３４、５４、７４に挿入して、係合保持させる際の、ないしは、摩擦力によって保持させる際の、その挿入の各段階を示したものである。
【００３３】
コネクタ１０、３０、５０、７０を製作するために使用する材料を、様々な材料の組合せとすることが、コネクタ１０、３０、５０、７０の接続電気抵抗を調節するための１つの手段となり得ることが判明している。医用の用途に用いる材料は、体内に植込んだ状態で安定なものでなければならず、この用途に適した材料には、例えば、「３１６Ｌ」ステンレス鋼、「ＭＰ３５Ｎ」合金、プラチナ・イリジウム合金、それにチタン材料などがあり、更にその他にも使用可能な材料がある。
【００３４】
全く予想だにしなかったことであるが、ピン１２、３２、５２、７２を形成する材料、ハウジング１４、３４、５４、７４を形成する材料、ないしはガータースプリング１６、３６、５６、７６を形成する材料を、プラチナ・イリジウム合金とすることによって、接続電気抵抗を小さなものとすることができる。また特に、ガータースプリングを形成する材料をプラチナ・イリジウム合金とすることによって、接続電気抵抗を小さく抑えることができる。尚、ハウジング１４、３４、５４、７４を形成する材料と、ピン１２、３２、５２、７２を形成する材料とは、その他の材料としてもよく、例えば「ＭＰ３５Ｎ」合金や、第５級チタン材料などを用いることができる。以上の材料のいずれを用いる場合も、互いに接触する部材の表面に表面仕上加工を施して、それらの表面状態を良好なものとすることによって、接続電気抵抗を改善することができる。即ち、互いに接触する部材が、より密接に接触できるようにするほど、より小さな力を作用させるだけで、接続電気抵抗を小さな値に維持することが可能となる。
【００３５】
表１は、ハウジング溝の種類、ガータースプリングの種類、及び使用材料の種類を様々に組合せたものについて、その接続電気抵抗の値をデータとして示した表であり、ハウジング溝やガータースプリングの寸法は、ごく一般的な寸法としている。
【００３６】
【表１】
2005518648.tif 000003
【００３７】
この表１において、S.S.は「３１６Ｌ」ステンレス鋼を、PT-IRはプラチナ・イリジウム合金を、MPNは「ＭＰ３５Ｎ」合金を、そしてTNM-5は第５級チタン材料を表している。
表１から明らかなように、使用材料の種類がいかなるものであっても、平底溝７８にアキシャル型ガータースプリング７６を組合せた場合に、接続電気抵抗は最も小さくなる。それに次いで接続電気抵抗が小さくなるのは、Ｖ字底溝１８にラジアル型ガータースプリング１６を組合せた場合である。平底溝５８にラジアル型ガータースプリング５６を組合せた場合を基準として、Ｖ字底溝３８にラジアル型ガータースプリング３６を組合せた場合の接続電気抵抗の低減率と、平底溝７８にアキシャル型ガータースプリング７６を組合せた場合の接続電気抵抗の低減率とを示したが、それら低減率の値からは、ハウジング溝の種類、及びガータースプリングの種類を適宜選択することで、大きな利点が得られることが分かる。
【００３８】
また、コネクタ１０、３０、５０、７０のいずれにおいても、その接続電気抵抗を非常に小さくするためには、プラチナ・イリジウム合金を使用することが重要であることも分かる。
【００３９】
以上、保持ないし係合の機能を有する導電性手段を備えた本発明に係る電気コネクタの構成について説明した。ただし、以上の説明は、本発明を効果的に利用することのできる実施の形態を例示することを目的としたものであって、本発明が以上に説明した実施の形態に限定されるというものではない。即ち、以上に例示した構成要素によって、本発明を好適に構成し得るということを示したものである。更に、以上に例示した実施の形態は、その構成要素のうちの幾つかを省略しても好適に実施し得るものであるが、そのようにした実施の形態についての具体的な説明は省略する。従って、当業者が想到し得る限りの改変構成、変更構成、または均等構成は全て、特許請求の範囲に記載した本発明の範囲に包含されるものである。
【図面の簡単な説明】
【００４０】
【図１ａ】本発明の１つの実施の形態に係る電気コネクタの断面側面図であり、Ｖ字底溝を形成したハウジングと、Ｖ字底溝の中に配設したガータースプリングと、外周溝を形成したピンとを示した図である。
【図１ｂ】図１ａの電気コネクタの断面側面図であり、ピンをハウジングに挿入する際の１つの段階を示した図である。
【図１ｃ】図１ａの電気コネクタの断面側面図であり、ピンをハウジングに挿入する際の１つの段階を示した図である。
【図１ｄ】図１ａの電気コネクタの断面側面図であり、ピンをハウジングに挿入する際の１つの段階を示した図である。
【図１ｅ】図１ａの電気コネクタの断面側面図であり、ピンがハウジングに係合して接続した状態を示した図である。
【図１ｆ】図１ａの電気コネクタの断面側面図であり、ピンをハウジングから抜脱する際の１つの段階を示した図である。
【図２ａ】ピンに溝を形成していない、本発明の別の実施の形態に係る電気コネクタの断面側面図であり、ピンをハウジングに挿入する際の１つの段階を示した図である。
【図２ｂ】図２ａの電気コネクタの断面側面図であり、ピンをハウジングに挿入する際の１つの段階を示した図である。
【図２ｃ】図２ａの電気コネクタの断面側面図であり、ピンをハウジングに挿入する際の１つの段階を示した図である。
【図２ｄ】図２ａの電気コネクタの断面側面図であり、ピンをハウジングから抜脱する際の１つの段階を示した図である。
【図３ａ】ハウジング溝を平底溝とし、ピンに溝を形成していない、本発明の更に別の実施の形態に係る電気コネクタの断面側面図であり、ピンをハウジングに挿入する際の１つの段階を示した図である。
【図３ｂ】図３ａの電気コネクタの断面側面図であり、ピンをハウジングに挿入する際の１つの段階を示した図である。
【図３ｃ】図３ａの電気コネクタの断面側面図であり、ピンをハウジングに挿入する際の１つの段階を示した図である。
【図３ｄ】図３ａの電気コネクタの断面側面図であり、ピンをハウジングから抜脱する際の１つの段階を示した図である。
【図４ａ】ラジアル型ガータースプリングをアキシャル型ガータースプリング７６に替えた以外は図３ａの実施の形態と同一構成の、本発明の更に別の実施の形態に係る電気コネクタの断面側面図であり、ピンをハウジングに挿入する際の１つの段階を示した図である。
【図４ｂ】図４ａの電気コネクタの断面側面図であり、ピンをハウジングに挿入する際の１つの段階を示した図である。
【図４ｃ】図４ａの電気コネクタの断面側面図であり、ピンをハウジングに挿入する際の１つの段階を示した図である。
【図４ｄ】図４ａの電気コネクタの断面側面図であり、ピンをハウジングから抜脱する際の１つの段階を示した図である。
【図１ａ】
2005518648.tif 000004
【図１ｂ】
2005518648.tif 000005
【図１ｃ】
2005518648.tif 000006
【図１ｄ】
2005518648.tif 000007
【図１ｅ】
2005518648.tif 000008
【図１ｆ】
2005518648.tif 000009
【図２ａ】
2005518648.tif 000010
【図２ｂ】
2005518648.tif 000011
【図２ｃ】
2005518648.tif 000012
【図２ｄ】
2005518648.tif 000013
【図３ａ】
2005518648.tif 000014
【図３ｂ】
2005518648.tif 000015
【図３ｃ】
2005518648.tif 000016
【図３ｄ】
2005518648.tif 000017
【図４ａ】
2005518648.tif 000018
【図４ｂ】
2005518648.tif 000019
【図４ｃ】
2005518648.tif 000020
【図４ｄ】
2005518648.tif 000021
【国際調査報告】
2005518648.tif 000022